(57)【特許請求の範囲】
【請求項１】
トランスの１次側巻線が巻かれ、且つ、前記トランスの２次側巻線が内部を通るとともに、中心軸の軸方向に並べられた複数のトロイダル型コアと、
前記軸方向で前記複数のトロイダル型コアの一方の側に位置した第１支持部材と、
前記複数のトロイダル型コアに対して前記第１支持部材とは反対側に位置し、前記第１支持部材に向けて前記複数のトロイダル型コアを押さえる第２支持部材と、
前記複数のトロイダル型コアの周方向に分かれて配置され、前記複数のトロイダル型コアの径方向の外側から前記複数のトロイダル型コアを支持する複数の第３支持部材と、
を備え、
前記複数の第３支持部材の少なくとも１つは、前記第１支持部材に対して前記径方向に沿って移動可能であり、
前記第１支持部材と前記第２支持部材とは、前記複数の第３支持部材によって接続され、
前記第１支持部材は、前記径方向に沿って延びた第１穴を有し、
前記複数の第３支持部材の少なくとも１つは、前記第１穴に挿入されており、前記第１穴の内部で前記径方向に沿って移動可能である
送信機用の合成部。
【請求項２】
トランスの１次側巻線が巻かれ、且つ、前記トランスの２次側巻線が内部を通るとともに、中心軸の軸方向に並べられた複数のトロイダル型コアと、
前記軸方向で前記複数のトロイダル型コアの一方の側に位置した第１支持部材と、
前記複数のトロイダル型コアに対して前記第１支持部材とは反対側に位置し、前記第１支持部材に向けて前記複数のトロイダル型コアを押さえる第２支持部材と、
前記複数のトロイダル型コアの周方向に分かれて配置され、前記複数のトロイダル型コアの径方向の外側から前記複数のトロイダル型コアを支持する複数の第３支持部材と、
を備え、
前記複数の第３支持部材の少なくとも１つは、前記第１支持部材に対して前記径方向に沿って移動可能であり、
前記第１支持部材と前記第２支持部材とは、前記複数の第３支持部材によって接続され、
前記第２支持部材は、前記軸方向に沿って、前記第１支持部材に近付く方向と、前記第１支持部材から遠ざかる方向とに移動可能であるとともに、前記複数のトロイダル型コアを前記第１支持部材に向けて押さえる位置で前記複数の第３支持部材の少なくとも１つに固定されている
送信機用の合成部。
【請求項３】
トランスの１次側巻線が巻かれ、且つ、前記トランスの２次側巻線が内部を通るとともに、中心軸の軸方向に並べられた複数のトロイダル型コアと、
前記軸方向で前記複数のトロイダル型コアの一方の側に位置した第１支持部材と、
前記複数のトロイダル型コアに対して前記第１支持部材とは反対側に位置し、前記第１支持部材に向けて前記複数のトロイダル型コアを押さえる第２支持部材と、
前記複数のトロイダル型コアの周方向に分かれて配置され、前記複数のトロイダル型コアの径方向の外側から前記複数のトロイダル型コアを支持する複数の第３支持部材と、
を備え、
前記複数の第３支持部材の少なくとも１つは、前記第１支持部材に対して前記径方向に沿って移動可能であり、
前記第１支持部材と前記第２支持部材とは、前記複数の第３支持部材によって接続され、
前記第２支持部材は、前記複数の第３支持部材に着脱可能に取り付けられている
送信機用の合成部。
【請求項４】
トランスの１次側巻線が巻かれ、且つ、前記トランスの２次側巻線が内部を通るとともに、中心軸の軸方向に並べられた複数のトロイダル型コアと、
前記軸方向で前記複数のトロイダル型コアの一方の側に位置した第１支持部材と、
前記複数のトロイダル型コアに対して前記第１支持部材とは反対側に位置し、前記第１支持部材に向けて前記複数のトロイダル型コアを押さえる第２支持部材と、
前記複数のトロイダル型コアの周方向に分かれて配置され、前記複数のトロイダル型コアの径方向の外側から前記複数のトロイダル型コアを支持する複数の第３支持部材と、
を備え、
前記複数の第３支持部材の少なくとも１つは、前記第１支持部材に対して前記径方向に沿って移動可能であり、
前記第１支持部材と前記第２支持部材とは、前記複数の第３支持部材によって接続され、
前記第２支持部材は、前記径方向に沿って延びた第２穴を有し、
前記複数の第３支持部材の少なくとも１つは、前記第２穴に挿入されており、前記第２穴の内部で前記径方向に沿って移動可能である
送信機用の合成部。
【請求項５】
前記複数の第３支持部材の少なくとも１つの外周面には、ねじが形成され、
前記複数の第３支持部材の少なくとも１つには、前記ねじに螺合して前記複数のトロイダル型コアに向かう力を前記第１支持部材に加える第１固定部材が取り付けられている
請求項１から請求項４のいずれか一項に記載の送信機用の合成部。
【請求項６】
前記複数の第３支持部材の少なくとも１つには、前記ねじに螺合して前記複数のトロイダル型コアに向かう力を前記第２支持部材に加える第２固定部材が取り付けられており、
前記第１固定部材および前記第２固定部材は、前記第１固定部材および前記第２固定部材が取り付けられた前記第３支持部材の前記径方向の位置を、前記第１支持部材および前記第２支持部材から受ける反力によって固定している
請求項５に記載の送信機用の合成部。
【請求項７】
請求項１から請求項６のいずれか一項に記載の送信機用の合成部と、
前記合成部の前記トランスが接続される複数の増幅器と、
を備えるデジタル振幅変調装置。
【発明の詳細な説明】
【技術分野】
【０００１】
本発明の実施形態は、送信機用の合成部およびデジタル振幅変調装置に関する。
【背景技術】
【０００２】
例えば中波放送用の送信機には、デジタル振幅変調装置が利用されている。デジタル振幅変調装置は、並列に配置された複数の電力増幅器の出力を合成する合成部を有する。デジタル振幅変調装置は、前記合成部で複数の電力増幅器の出力を合成することでＡＭ波（振幅変調波：Amplitude Modulation Wave）を生成し、放送サービスエリアへ送出する。
ところで、上記のような合成部は、トロイダル型コアに巻かれた１次側巻線と、前記トロイダル型コアの内部を通る２次側巻線とを含むトランスを有する。合成部は、前記トランスの巻数比を変えることで、電力増幅器の出力電力を変化させる。このため、合成部は、トランスの巻線数を容易に変更できることが望ましい。しかしながら、従来の合成部では、トランスの巻線数を変更することが難しい場合があった。
【先行技術文献】
【特許文献】
【０００３】
【特許文献１】特開２０１４−２１６８４８号公報
【非特許文献】
【０００４】
【非特許文献１】中波ディジタル変調送信機とその運用、放送技術、１９９１年４月号（ＰＰ．３４８、図８など）
【発明の概要】
【発明が解決しようとする課題】
【０００５】
本発明が解決しようとする課題は、トランスの巻線数を容易に変更することができる送信機用の合成部およびデジタル振幅変調装置を提供することである。
【課題を解決するための手段】
【０００６】
実施形態の送信機用の合成部は、複数のトロイダル型コアと、第１支持部材と、第２支
持部材と、第３支持部材とを持つ。前記複数のトロイダル型コアは、トランスの１次側巻
線が巻かれ、且つ、前記トランスの２次側巻線が内部を通るとともに、中心軸の軸方向に
並べられている。前記第１支持部材は、前記軸方向で前記複数のトロイダル型コアの一方
の側に位置する。前記第２支持部材は、前記複数のトロイダル型コアに対して前記第１支
持部材とは反対側に位置し、前記第１支持部材に向けて前記複数のトロイダル型コアを押
さえる。前記複数の第３支持部材は、前記複数のトロイダル型コアの周方向に分かれて配
置され、前記複数のトロイダル型コアの径方向の外側から前記複数のトロイダル型コアを
支持する。前記複数の第３支持部材の少なくとも１つは、前記第１支持部材に対して前記
径方向に沿って移動可能である。前記第１支持部材と前記第２支持部材とは、前記複数の第３支持部材によって接続される。前記第１支持部材は、前記径方向に沿って延びた第１穴を有する。前記複数の第３支持部材の少なくとも１つは、前記第１穴に挿入されており、前記第１穴の内部で前記径方向に沿って移動可能である。
【図面の簡単な説明】
【０００７】
【図１】第１の実施形態のデジタル振幅変調装置の構成を示すブロック図。
【図２】第１の実施形態の合成部の構成を示すブロック図。
【図３】第１の実施形態の合成部を示す平面図。
【図４】図３中に示された合成部のＦ４−Ｆ４線に沿う断面図。
【図５】第１の実施形態の合成部を示す図。
【図６】第１の実施形態の第１変形例の合成部を示す図。
【図７】第１の実施形態の第２変形例の合成部を示す図。
【図８】第１の実施形態の第３変形例の合成部を示す図。
【図９】第２の実施形態の合成部を示す平面図。
【図１０】図９中に示された合成部のＦ１０−Ｆ１０線に沿う断面図。
【発明を実施するための形態】
【０００８】
以下、実施形態の送信機用の合成部およびデジタル振幅変調装置を、図面を参照して説明する。なお以下の説明では、同一または類似の機能を有する構成に同一の符号を付す。そして、それら構成の重複する説明は省略する場合がある。
【０００９】
（第１の実施形態）
図１から図５を参照して、第１の実施形態の送信機用の合成部１５およびデジタル振幅変調装置１を説明する。
まず、デジタル振幅変調装置１について説明する。本実施形態のデジタル振幅変調装置１は、例えば、中波放送の送信装置に用いられる。
【００１０】
図１は、デジタル振幅変調装置１の構成を示すブロック図である。
図１に示すように、デジタル振幅変調装置１は、キャリア信号入力端１１、音声信号入力端１２、制御部（制御回路）１３、電力増幅部１４、合成部１５、フィルタ部１６、および信号出力端１７を有する。
【００１１】
キャリア信号入力端１１には、伝送信号としてのキャリア信号が入力される。キャリア信号入力端１１に入力されたキャリア信号は、制御部１３を介して、電力増幅部（PA：Power Amplifier）１４に供給される。
電力増幅部１４は、例えばｎ（ｎは任意の自然数）台の電力増幅器１４１〜１４ｎを有する。電力増幅器１４１〜１４ｎは、並列に配置される。電力増幅部１４に供給されたキャリア信号は、上記複数の電力増幅器１４１〜１４ｎに分配されて供給される。各電力増幅器１４１〜１４ｎは、制御部１３の制御に応じて、オン＝駆動状態、またはオフ＝停止状態となる。各電力増幅器１４１〜１４ｎは、オン状態で、増幅されたキャリア信号を出力する。
【００１２】
合成部１５は、電力増幅器１４１〜１４ｎで増幅されたキャリア信号を合成する。すなわち、合成部１５は、複数の電力増幅器１４１〜１４ｎの台数を変更しながら、キャリア信号を予め設定される所望のレベルに増幅する。フィルタ部１６は、合成部１５で合成された合成信号を濾波することで、合成信号に含まれる不要な成分を抑圧する。合成部１５で合成されたキャリア信号は、フィルタ部１６で濾波された後、振幅変調されたＲＦ帯の放送波（ＡＭ波）として、図示しない測定部を介して出力信号端１７から出力される。出力信号端１７の先には図示しない送信アンテナが接続される。また、信号出力端１７と前記送信アンテナとの間には、整合回路やフィルタ、リジェクタ、トラップ回路などが挿入される。
【００１３】
一方、音声信号入力端１２には、音声信号（被変調信号）が入力される。音声信号入力端１２に入力された音声信号は、制御部１３に入力される。制御部１３は、入力された音声信号の電圧振幅に応じて、オン／オフの制御信号や、キャリア信号の位相差に基づき、各々の電力増幅器１４１〜１４ｎのオン／オフ状態を制御する。
【００１４】
次に、合成部１５について説明する。
図２は、合成部１５の構成を示すブロック図である。
図２に示すように、合成部１５は、電力増幅器の数に対応するｎ個のトランス２０１〜２０ｎを備える。なお以下では、複数のトランス２０１〜２０ｎにおいて、特に区別する必要がない場合は、単に「トランス２００」と言う。各トランス２００は、１次側巻線２１と、２次側巻線２２とを有する。なお図中では、電力増幅器１４１，１４２，１４３，１４ｎ、およびトランス２０１，２０２，２０３，２０ｎを代表して示す。
【００１５】
トランス２０１〜２０ｎの１次側巻線２１は、電力増幅器１４１〜１４ｎのそれぞれの出力端に接続される。トランス２０１〜２０ｎの２次側巻線２２は、互いに直列に接続され、１つの２次側巻線２２が形成される。２次側巻線２２の一端は、直接接地し、もしくは、コイル、コンデンサ、抵抗、またはそれらの組み合わせを介して接地される。一方で、２次側巻線２２の他端は、合成出力端を形成する。この合成出力端は、フィルタ部１６に電気的に接続される。
【００１６】
以上のような構成により、合成部１５では、電力増幅器１４１〜１４ｎのいずれかで電力増幅されたキャリア信号が１次側巻線２１に加えられると、そのキャリア信号は２次側巻線２２に出力されて合成される。この合成出力は、フィルタ部１６へ出力される。
【００１７】
図３は、本実施形態の合成部１５の具体的構成の一例を示す平面図である。
図３に示すように、合成部１５は、第１合成ユニット（図３中の下側の合成部）１５ａと、第２合成ユニット（図３中の上側の合成部）１５ｂとを有する。第１合成ユニット１５ａの構成と、第２合成ユニット１５ｂの構成は、互いに略同じである。そこで以下では、第１合成ユニット１５ａの構成を中心に詳しく説明する。
【００１８】
第１合成ユニット１５ａは、複数のトロイダル型コア３１と、これら複数のトロイダル型コア３１を支持する支持機構３２とを備える。
【００１９】
複数のトロイダル型コア３１は、図３に示すように、トロイダル型コア３１の中心軸Ｃの軸方向に沿って一列に並べられている。各トロイダル型コア３１は、例えばＭｎ−Ｚｎ系のフェライトコアである。
【００２０】
図４は、図３中に示された合成部１５のＦ４−Ｆ４線に沿う断面図である。
図４に示すように、トロイダル型コア３１の中央部には、貫通穴３１ｈが設けられている。貫通穴３１ｈは、トロイダル型コア３１の中心軸Ｃの軸方向に沿ってトロイダル型コア３１を貫通している。これにより、トロイダル型コア３１は、リング状に形成されている。なお本願でいう「リング状」とは、中央部に貫通穴が設けられた形状を幅広く意味する。
【００２１】
各トロイダル型コア３１には、トランス２００の１次側巻線２１が巻かれている。詳しく述べると、１つのトロイダル型コア３１に対応して、１つの１次側巻線２１が設けられる。１次側巻線２１は、自身が対応するトロイダル型コア３１に複数回に亘り巻き付けられる。なお、トロイダル型コア３１に対する１次側巻線２１の巻き数は、複数のトロイダル型コア３１でそれぞれ異なる場合がある。このため、１次側巻線２１を含むトロイダル型コア３１の外形は、各トロイダル型コア３１によって異なる場合がある。
【００２２】
一方、図３に示すように、２次側巻線２２は、複数のトロイダル型コア３１の内部（すなわち貫通穴３１ｈ）を連続して通っている。これにより本実施形態では、直列加算型の合成部１５が形成されている。例えば、２次側巻線２２は、複数のトロイダル型コア３１の内部と外部とを複数回に亘り通っている。本実施形態では、２次側巻線２２は、第１合成ユニット１５ａのトロイダル型コア３１の内部と、第２合成ユニット１５ｂのトロイダル型コア３１の内部とを交互に通っている。これにより、第１合成ユニット１５ａおよび第２合成ユニット１５ｂによって、１つの直列加算型の合成部１５が形成されている。
【００２３】
ここで、＋Ｚ方向、−Ｚ方向、Ｒ方向、およびθ方向について定義する。＋Ｚ方向および−Ｚ方向は、トロイダル型コア３１の中心軸Ｃの軸方向（すなわち貫通穴３１ｈの貫通方向）に沿う方向である。−Ｚ方向は、＋Ｚ方向とは反対方向である。Ｒ方向は、トロイダル型コア３１の径方向であり、中心軸Ｃから離れる方向である。Ｒ方向は、＋Ｚ方向に交差する（例えば略直交する）方向である。θ方向（図４参照）は、トロイダル型コア３１の周方向であり、中心軸Ｃの周りを回転する方向である。θ方向は、＋Ｚ方向およびＲ方向に交差する（例えば略直交する）方向である。
【００２４】
図３に示すように、本実施形態では、複数のトロイダル型コア３１は、−Ｚ方向に詰めて配置される。なお本願で言う「詰めて配置」とは、複数のトロイダル型コア３１の間（厳密に言うとトロイダル型コア３１に巻かれた１次側巻線２１同士の間）に実質的な隙間が存在しないことを意味し、各トロイダル型コア３１の位置がその隣に位置するトロイダル型コア３１によって規定されることを意味する。例えば、各トロイダル型コア３１の１次側巻線２１は、その隣に位置するトロイダル型コア３１の１次側巻線２１と接する。なお、各トロイダル型コア３１の１次側巻線２１同士の間には、１次側巻線２１同士を電気的に隔離する絶縁性のシートが挟まれてもよい。
【００２５】
次に、複数のトロイダル型コア３１を支持する支持機構３２について説明する。
支持機構３２は、第１押え板４１、第２押え板４２、および複数の支持棒４３を有する。例えば、第１押え板４１、第２押え板４２、および複数の支持棒４３は、絶縁性（電気絶縁性）を有する材料で形成される。
【００２６】
第１押え板４１は、「第１部材」、「第１支持板」、「第１支持部材」のそれぞれ一例である。図３に示すように、第１押え板４１は、トロイダル型コア３１の軸方向において、複数のトロイダル型コア３１の一方の側（−Ｚ方向側）に位置する。言い換えると、第１押え板４１は、−Ｚ方向において、複数のトロイダル型コア３１と並ぶ。第１押え板４１は、＋Ｚ方向で複数のトロイダル型コア３１に面する。第１押え板４１は、Ｒ方向と略平行な面を有した矩形状の板材である。第１押え板４１は、Ｒ方向においてトロイダル型コア３１よりも大きな外形を有する。第１押え板４１は、複数のトロイダル型コア３１のなかで端に位置するトロイダル型コア３１に＋Ｚ方向から接する。なお、本願で言う「トロイダル型コア３１に接する」とは、トロイダル型コア３１に巻かれた１次側巻線２１に接する場合も含む。
【００２７】
第１押え板４１は、＋Ｚ方向において複数のトロイダル型コア３１を支持する。なお本願で言う「支持する」とは、１つの部材に接することで、その部材に接する他の部材を間接的に支持することも含む。本実施形態では、第１押え板４１は、複数のトロイダル型コア３１のなかで端に位置する１つのトロイダル型コア３１を支持することで、そのトロイダル型コア３１に対して詰めて配置された複数のトロイダル型コア３１を支持する。
また、第１押え板４１には、＋Ｚ方向に沿って２次側巻線２２が通る貫通穴４１ｈが設けられている（図５参照）。
【００２８】
第２押え板４２は、「第２部材」、「第２支持板」、「第２支持部材」のそれぞれ一例である。第２押え板４２は、図３に示すように、複数のトロイダル型コア３１に対して、第１押え板４１とは反対側に位置する。すなわち、第２押え板４２は、−Ｚ方向で複数のトロイダル型コア３１に面する。第２押え板４２は、例えば第１押え板４１と略同じ外形を有する。第２押え板４２は、複数のトロイダル型コア３１のなかで端に位置するトロイダル型コア３１に−Ｚ方向から接する。第２押え板４２は、複数のトロイダル型コア３１を第１押え板４１に向けて押さえる。これにより、第２押え板４２は、−Ｚ方向において複数のトロイダル型コア３１を支持する。言い換えると、複数のトロイダル型コア３１は、第１押え板４１と第２押え板４２との間に挟まれて保持される。これにより、複数のトロイダル型コア３１のＺ方向および−Ｚ方向の位置が固定される。
また、第２押え板４２には、＋Ｚ方向に沿って２次側巻線２２が通る貫通穴４２ｈが設けられている（図５参照）。
【００２９】
複数の支持棒４３の各々は、「第３部材」、「第３支持部材」のそれぞれ一例である。複数の支持棒４３の各々は、図３に示すように、＋Ｚ方向に延びて第１押え板４１と第２押え板４２とを接続する。詳しく述べると、各支持棒４３は、第１押え板４１を貫通して、第１押え板４１よりも−Ｚ方向側に延びている。また、各支持棒４３は、第２押え板４２を貫通して、第２押え板４２よりも＋Ｚ方向に延びている。なお、各支持棒４３と第１押え板４１および第２押え板４２との接続構造については、詳しく後述する。
【００３０】
図４に示すように、本実施形態では、複数の支持棒４３として、３本の支持棒４３が設けられている。なお、支持棒４３の数は、上記に限定されない、支持棒４３は、例えば４本以上でもよい。複数の支持棒４３は、トロイダル型コア３１の外周側に配置される。複数の支持棒４３は、θ方向においてトロイダル型コア３１の周りに分かれて配置される。複数の支持棒４３は、θ方向において例えば等間隔に分かれて配置される。なお、支持棒４３の間の間隔は、等間隔でなくてもよい。
【００３１】
複数の支持棒４３は、トロイダル型コア３１のＲ方向の外側から複数のトロイダル型コア３１を支持する。詳しく述べると、各支持棒４３は、Ｒ方向の外側から複数のトロイダル型コア３１の外周面３１ａを支持する。複数の支持棒４３は、互いに異なる複数の方向からトロイダル型コア３１を支持する。これにより、複数のトロイダル型コア３１のＲ方向の位置が固定される。すなわち、複数のトロイダル型コア３１は、複数の支持棒４３によって挟み込まれる形で固定される。なお、本願で言う「トロイダル型コア３１の外周面３１ａを支持する」とは、トロイダル型コア３１に巻かれた１次側巻線２１に接することでトロイダル型コア３１の外周面３１ａを支持する場合も含む。
【００３２】
なお、各支持棒４３は、全てのトロイダル型コア３１の外周面３１ａを直接に支持する必要は無く、少なくとも１つのトロイダル型コア３１の外周面３１ａを支持すればよい。すなわち、トロイダル型コア３１は、１次側巻線２１の巻き数によって外径が異なる。このため、各支持棒４３は、例えば１次側巻線２１の巻き数が最も多いトロイダル型コア３１の外周面３１ａを支持する。この場合、残りのトロイダル型コア３１は、支持棒４３によって支持されるトロイダル型コア３１との間に生じる摩擦力によって支持される。また、例えば合成部１５が横向きに配置される場合、トロイダル型コア３１は、下方に位置する支持棒４３の上に乗っているだけでもよい。すなわち、トロイダル型コア３１は、上方に位置する支持棒４３に接していなくてもよい。
【００３３】
図４に示すように、支持棒４３の断面（Ｒ方向に沿う断面）は、例えば円形状である。なお、支持棒４３の断面形状は、上記例に限定されない。支持棒４３の断面は、多角形やその他の形状でもよい。
【００３４】
本実施形態では、各支持棒４３は、第１押え板４１および第２押え板４２に対して、Ｒ方向に沿って、トロイダル型コア３１に近付く方向と、トロイダル型コア３１から離れる方向とに移動可能に設けられる。そこで以下に、上記移動を可能にする支持棒４３の可動機構について説明する。
【００３５】
図５は、第１押え板４１の断面および第２押え板４２の断面を示す。
図５に示すように、第１押え板４１は、支持棒４３に対応する位置に複数の第１穴４１ａを有する。第１穴４１ａは、＋Ｚ方向に第１押え板４１を貫通した貫通穴である。また、第１穴４１ａは、Ｒ方向に沿って延びた長穴である。各支持棒４３は、第１穴４１ａに挿入されている。各支持棒４３は、第１穴４１ａの内部でＲ方向に沿って移動可能である（図５中の矢印Ａ参照）。各支持棒４３は、例えば、Ｒ方向に延びた第１穴４１ａの内周面に案内されて、Ｒ方向に沿って移動可能である。
【００３６】
同様に、第２押え板４２は、支持棒４３に対応する位置に複数の第２穴４２ａを有する。第２穴４２ａは、−Ｚ方向に第２押え板４２を貫通した貫通穴である。また、第２穴４２ａは、Ｒ方向に沿って延びた長穴である。各支持棒４３は、第２穴４２ａに挿入されている。各支持棒４３は、第２穴４２ａの内部でＲ方向に沿って移動可能である（図５中の矢印Ｂ参照）。各支持棒４３は、例えば、Ｒ方向に延びた第２穴４２ａの内周面に案内されて、Ｒ方向に沿って移動可能である。
【００３７】
また、図５に示すように、第２押え板４２は、複数の支持棒４３に沿って、第１押え板４１に近付く方向と、第１押え板４１から離れる方向とに移動可能である（図５中の矢印Ｃ参照）。すなわち、第２押え板４２は、第２穴４２ａに支持棒４３が通されることで、支持棒４３に沿って移動可能である。また、本実施形態では、第２押え板４２は、複数の支持棒４３に対して着脱可能に取り付けられている。すなわち、第２押え板４２は、第１押え板４１から離れる方向に移動されることで、支持棒４３の−Ｚ方向の端部から取り外し可能であるとともに、第１押え板４１に近付く方向に移動されることで、支持棒４３の−Ｚ方向の端部から支持棒４３に取り付け可能である。そして、第２押え板４２は、複数のトロイダル型コア３１を第１押え板４１に向けて押さえる位置で、複数の支持棒４３に固定されている。すなわち、第２押え板４２は、該第２押え板４２と、複数のトロイダル型コア３１と、第１押え板４１との間に隙間が無くまで第１押え板４１の近くまで移動された状態で、支持棒４３に固定されている。
【００３８】
次に、第１押え板４１および第２押え板４２の固定構造について説明する。
図５に示すように、各支持棒４３の外周面には、ねじ（ねじ山）４５が形成されている。例えば、ねじ４５は、各支持棒４３の全長に亘って設けられている。なお、ねじ４５は、後述する第１固定部材５１および第２固定部材５２が係合する各支持棒４３の両端部のみに設けられてもよい。
【００３９】
本実施形態の支持機構３２は、支持棒４３のねじ４５に螺合して第１押え板４１を固定する第１固定部材５１と、支持棒４３のねじ４５に螺合して第２押え板４２を固定する第２固定部材５２とを有する。
【００４０】
図５に示すように、第１固定部材５１は、例えばナットである。第１固定部材５１は、第１押え板４１に対して、複数のトロイダル型コア３１とは反対側に位置する。第１固定部材５１は、支持棒４３のねじ４５に螺合して、第１押え板４１に接している。第１固定部材５１が支持棒４３に取りつけられると、第１押え板４１は、支持棒４３から−Ｚ方向に外れなくなる。第１固定部材５１は、第１押え板４１に対して＋Ｚ方向に向けて締められている。これにより、第１固定部材５１は、複数のトロイダル型コア３１に向かう力を第１押え板４１に加える。これにより、第１固定部材５１は、支持棒４３と第１押え板４１とを固定する。
【００４１】
同様に、第２固定部材５２は、例えばナットである。第２固定部材５２は、第２押え板４２に対して、複数のトロイダル型コア３１とは反対側に位置する。第２固定部材５２は、支持棒４３のねじ４５に螺合して、第２押え板４２に接している。第２固定部材５２が支持棒４３に取り付けられると、第２押え板４２は、支持棒４３から＋Ｚ方向に外れなくなる。第２固定部材５２は、第２押え板４２に対して−Ｚ方向に向けて締められている。これにより、第２固定部材５２は、複数のトロイダル型コア３１に向かう力を第２押え板４２に加える。これにより、第２固定部材５２は、支持棒４３と第２押え板４２とを固定する。
【００４２】
以上の構成によれば、第１固定部材５１は、第１押え板４１から反力を受ける。第２固定部材５２は、第２押え板４２から反力を受ける。第１固定部材５１および第２固定部材５２が第１押え板４１および第２押え板４２から反力を受けると、第１固定部材５１と第１押え板４１との間の摩擦力、および第２固定部材５２と第２押え板４２との間の摩擦力が大きくなる。その結果、支持棒４３がＲ方向に沿って移動しなくなる。すなわち、第１固定部材５１および第２固定部材５２は、第１押え板４１および第２押え板４２から受ける反力によって、支持棒４３のＲ方向の位置を固定する。
【００４３】
次に、本実施形態の合成部１５の組み立て方法の一例について説明する。
まず、第１押え板４１の第１穴４１ａに各支持棒４３が挿入される。また、支持棒４３には、第１固定部材５１が取り付けられる。これにより、第１押え板４１の位置が定まる。
【００４４】
一方で、トロイダル型コア３１は、１次側巻線２１が巻かれた状態で準備されている。第１押え板４１と支持棒４３とが接続された後、複数のトロイダル型コア３１が複数の支持棒４３の間に収容される。すなわち、第１押え板４１に対して複数のトロイダル型コア３１が詰めて並べられる。例えば、合成部１５は、＋Ｚ方向を上方に向けた姿勢で組み立てられる。この場合、第１押え板４１が合成部１５の下部に位置する。複数のトロイダル型コア３１は、第１押え板４１の上に積層されることで、複数の支持棒４３の間に収容される。このとき、複数の支持棒４３は、Ｒ方向においてトロイダル型コア３１の外径よりも外側の位置に逃がされている。このため、トロイダル型コア３１は、複数の支持棒４３の間にスムーズに収容される。
【００４５】
第１押え板４１に対して複数のトロイダル型コア３１が詰めて並べられた後に、第２押え板４２が支持棒４３に取り付けられる。具体的には、第２押え板４２の第２穴４２ａに支持棒４３が通されることで、第２押え板４２が支持棒４３に取り付けられる。このとき、第２押え板４２は、支持棒４３に沿って移動可能である。例えば、第２押え板４２は、上下方向に積層された複数のトロイダル型コア３１の上に載せられる。これにより、第２押え板４２は、複数のトロイダル型コア３１に対して詰めて並べられる。
【００４６】
例えば、支持棒４３に第２押え板４２が取り付けられた後、複数の支持棒４３がＲ方向の内側に向けて移動される。各支持棒４３は、それぞれ少なくとも１つのトロイダル型コア３１に接する位置まで移動される。各支持棒４３がＲ方向の内側に移動することで、各トロイダル型コア３１は、複数の支持棒４３の間に挟まれて位置が固定される。なお、支持棒４３の移動は、支持棒４３に第２押え板４２が取り付けられる前に行われてもよい。
【００４７】
次に、支持棒４３に第２固定部材５２が取り付けられる。そして、第１固定部材５１および第２固定部材５２の少なくとも一方が締める方向に回転されることで、第１押え板４１と第２押え板４２とが固定される。また、第１固定部材５１および第２固定部材５２の少なくとも一方が締める方向に回転されることで、各支持棒４３のＲ方向の位置が固定される。２次側巻線２２は、例えば複数のトロイダル型コア３１の位置が固定された後に、複数のトロイダル型コア３１の内部に連続して通される。これにより、合成部１５が形成される。
【００４８】
なお、合成部１５の組み立て方法は、上記例に限られない。例えば、支持棒４３に対して第１押え板４１および第２押え板４２が先に取り付けられ、その後に、トロイダル型コア３１が複数の支持棒４３の間に挿入されてもよい。この場合、トロイダル型コア３１の挿入時には、支持棒４３は、Ｒ方向においてトロイダル型コア３１の外径よりも外側の位置に逃がされている。そして、複数の支持棒４３の間にトロイダル型コア３１が挿入された後、支持棒４３がＲ方向の内側に移動されることで、トロイダル型コア３１が固定される。
【００４９】
次に、合成部１５を収容する筐体６０に対する合成部１５の取付構造を説明する。
図３に示すように、デジタル振幅変調装置１は、合成部１５を収容する筐体６０を有する。合成部１５は、筐体６０の内面に固定される。詳しく述べると、合成部１５は、一対の第１取付部材６１Ａ，６１Ｂと、一対の第２取付部材６２Ａ，６２Ｂとによって筐体６０に取り付けられる。
【００５０】
一方の第１取付部材６１Ａの一端部は、Ｒ方向において、トロイダル型コア３１の中心軸Ｃから見て複数の支持棒４３の外側で、第１合成ユニット１５ａの第１押え板４１に固定される。第１取付部材６１Ａの他端部は、筐体６０の内面に固定される。同様に、他方の第１取付部材６１Ｂの一端部は、Ｒ方向において、トロイダル型コア３１の中心軸Ｃから見て複数の支持棒４３の外側で、第１合成ユニット１５ａの第２押え板４２に固定される。第１取付部材６１Ｂの他端部は、筐体６０の内面に固定される。例えば、第１取付部材６１Ａ，６１Ｂは、筐体６０、第１押え板４１、および第２押え板４２に対して、ねじのような締結部材によって固定される。
【００５１】
また、一方の第２取付部材６２Ａの一端部は、Ｒ方向において、トロイダル型コア３１の中心軸Ｃから見て複数の支持棒４３の外側で、第２合成ユニット１５ｂの第１押え板４１に固定される。第２取付部材６２Ａの他端部は、筐体６０の内面に固定される。同様に、他方の第２取付部材６２Ｂの一端部は、Ｒ方向において、トロイダル型コア３１の中心軸Ｃから見て複数の支持棒４３の外側で、第２合成ユニット１５ｂの第２押え板４２に固定される。第２取付部材６２Ｂの他端部は、筐体６０の内面に固定される。例えば、第２取付部材６２Ａ，６２Ｂは、筐体６０、第１押え板４１、および第２押え板４２に対して、ねじのような締結部材によって固定される。
これにより、第１合成ユニット１５ａおよび第２合成ユニット１５ｂが筐体６０に固定される。
【００５２】
このような構成によれば、トランス２００の巻線数を容易に変更することができ、作業性の向上を図ることができる合成部１５を提供することができる。すなわち、トランス２００の巻数比は、所望する２次側電圧に応じて変更される場合がある。なお、トランス２００の巻数比の変更は、例えばトロイダル型コア３１に巻かれる１次側巻線２１の巻き数が変更されることで行われる。また、所望の２次側電圧を得るために、トロイダル型コア３１の数が変更されることもある。
【００５３】
ここで、１つの比較例として、複数のトロイダル型コアを互いに離して支持するとともに、各トロイダル型コアが取り付けられる溝が設けられた支持部材について考える。ここで、例えば１次側巻線の巻き数が変更されると、１次側巻線を含むトロイダル型コアの厚みが変化し、トロイダル型コアが上記支持部材の溝に嵌らなくなる場合がある。すなわち、上記のような支持部材において１次側巻線の巻き数を変更しようとすると、１次側巻線の巻き数に応じて溝の形状の変更が必要になる場合がある。また、上記のような支持部材によって支持可能なトロイダル型コアの数は、予め設けられた溝の数によって制約を受ける。
【００５４】
また、別の比較例として、トロイダル型コアを保持する支持板を設け、この支持板が取り付けられる溝が支持部材に設けられた支持機構について考える。このような支持機構によれば、１次側巻線の巻き数の変更が一定量以下であれば、巻き数の変更をスムーズに行うことができる。ただし、１次側巻線の巻き数の変更が一定量以上である場合、すなわち、１次側巻線を含むトロイダル型コアの厚みが所定のよりも大きくなる場合、予め設けられた溝では対応することが難しい場合がある。また、上記のような支持機構によって支持可能なトロイダル型コアの数は、予め設けられた溝の数によって制約を受ける。
【００５５】
一方で、本実施形態の合成部１５は、複数のトロイダル型コア３１と、第１押え板４１と、第２押え板４２と、複数の支持棒４３とを備える。複数のトロイダル型コア３１は、トランス２００の１次側巻線２１が巻かれ、且つ、トランス２００の２次側巻線が内部を通る。複数のトロイダル型コア３１は、トロイダル型コア３１の軸方向に並べられている。第１押え板４１は、前記軸方向で複数のトロイダル型コア３１の一方の側に位置する。第２押え板４２は、複数のトロイダル型コア３１に対して第１押え板４１とは反対側に位置し、第１押え板４１に向けて複数のトロイダル型コア３１を押さえる。複数の支持棒４３は、θ方向に分かれて配置され、Ｒ方向の外側から複数のトロイダル型コア３１を支持する。複数の支持棒４３の少なくとも１つは、第１押え板４１に対してＲ方向に沿って移動可能である。
【００５６】
このような構成によれば、複数のトロイダル型コア３１は、第１押え板４１、第２押え板４２、および複数の支持棒４３によって支持され、位置が固定される。すなわち、上記構成によれば、トロイダル型コア３１が取り付けられる溝、またはトロイダル型コア３１を保持する支持板が取り付けられる溝を支持機構に設ける必要が無くなる。上記のような溝を設ける必要が無くなると、１次側巻線２１の巻き数が大きく増減した場合でも、第１押え板４１、第２押え板４２、および複数の支持棒４３の形状などを変更することなく、各トロイダル型コア３１を支持することができる。すなわち、本実施形態の支持機構３２によれば、１次側巻線２１の巻き数の変更の自由度が大きいとともに、その変更に容易に対応することができる。
【００５７】
また、上記構成によれば、支持機構に溝を設ける必要が無くなるので、トロイダル型コア３１の数が予め設けられた溝の数によって制約を受けない。複数のトロイダル型コア３１は、例えば詰めて配置される。このため、トロイダル型コア３１の数の変更の自由度が大きくなる。すなわち、上記構成によれば、トロイダル型コア３１の数の増減に対して柔軟に対応することができる。また、上記構成によれば、トロイダル型コア３１自体の厚みに関する制約も無くなるので、種々の形状のトロイダル型コア３１を採用することも可能になる。
【００５８】
また、上記構成によれば、トロイダル型コアや、トロイダル型コアを保持する支持板を、支持機構の溝に１つひとつ挿入するような作業を行う必要が無くなる。このため、上記構成によれば、合成部１５の組立性を向上させることができる。
【００５９】
また、上記構成によれば、第２押え板４２と支持棒４３の位置を変化させることで、各トロイダル型コア３１の取り付け、および取り外しを個別に行うことができる。すなわち、トランス２００の巻数比の変更を行う際に、全てのトロイダル型コア３１を外す必要が無く、各々のトロイダル型コア３１を単体で取り外すこともできる。このため、例えば１次側巻線２１の巻き数の変更が必要なトロイダル型コア３１だけを取り外し、１次側巻線２１の巻き数の変更を行うことができる。このため、合成部１５の分解作業や組立作業を効率的に行うことができ、配線作業性も良好である。
【００６０】
さらに、上記構成によれば複数のトロイダル型コア３１を互いに詰めて配置することができる。このため、例えば予め所定の距離を空けて溝が設けられた支持部材に比べて、合成部１５の小型化を図ることができる。
【００６１】
本実施形態では、第１押え板４１と第２押え板４２とは、複数の支持棒４３によって接続されている。このような構成によれば、第１押え板４１と第２押え板４２とを接続する別部材を設ける必要が無くなるので、支持機構３２の構成を単純化することができる。これにより、合成部１５の小型化および低コスト化を図ることができる。
【００６２】
本実施形態では、第１押え板４１は、Ｒ方向に沿って延びた第１穴４１ａを有する。複数の支持棒４３の少なくとも１つは、第１穴４１ａに挿入されており、第１穴４１ａの内部でＲ方向に沿って移動可能である。このような構成によれば、互いに接続される第１押え板４１と支持棒４３において、比較的簡単な構成によって、第１押え板４１に対して支持棒４３を移動可能に設けることができる。
【００６３】
本実施形態では、第２押え板４２は、複数の支持棒４３に沿って、第１押え板４１に近付く方向と、第１押え板４１から遠ざかる方向とに移動可能である。第２押え板４２は、複数のトロイダル型コア３１を第１押え板４１に向けて押さえる位置で複数の支持棒４３の少なくとも１つに固定されている。
このような構成によれば、１次側巻線２１の巻き数が変更され、１次側巻線２１を含むトロイダル型コア３１の厚みに変化が生じる場合でも、第２押え板４２の位置を柔軟に変更することで、トロイダル型コア３１の厚みの変化に容易に対応することができる。これにより、トランス２００の巻線数の変更にさらに容易に対応することができる。
【００６４】
本実施形態では、第２押え板４２は、複数の支持棒４３に対して着脱可能に取り付けられる。このような構成によれば、支持棒４３から第２押え板４２を外した状態で、複数のトロイダル型コア３１を複数の支持棒４３の間の挿入可能である。このため、合成部１５の組立作業や分解作業をさらに効率的に行うことができる。
【００６５】
本実施形態では、第２押え板４２は、Ｒ方向に沿って延びた第２穴４２ａを有する。複数の支持棒４３の少なくとも１つは、第２穴４２ａに挿入されており、第２穴４２ａの内部でＲ方向に沿って移動可能である。このような構成によれば、互いに接続される第２押え板４２と支持棒４３において、比較的簡単な構成によって、第２押え板４２に対して支持棒４３を移動可能に設けることができる。
【００６６】
本実施形態では、複数の支持棒４３の少なくとも１つの外周面３１ａには、ねじ４５が形成されている。複数の支持棒４３の少なくとも１つには、ねじ４５に螺合して、複数のトロイダル型コア３１に向かう力を第１押え板４１に加える第１固定部材５１が取り付けられている。
このような構成によれば、複数のトロイダル型コア３１を第１押え板４１によってさらに安定して支持することができる。
【００６７】
本実施形態では、複数の支持棒４３の少なくとも１つには、ねじ４５に係合して、複数のトロイダル型コア３１に向かう力を第２押え板４２に加える第２固定部材５２が取り付けられている。第１固定部材５１および第２固定部材５２は、第１固定部材５１および第２固定部材５２が取り付けられた支持棒４３のＲ方向の位置を、第１押え板４１および第２押え板４２から受ける反力によって固定している。
このような構成によれば、複数のトロイダル型コア３１を第２押え板４２によってさらに安定して支持することができる。また、比較的簡単な構成によって、支持棒４３のＲ方向の位置を固定することができる。これにより、支持棒４３の移動に関する作業の作業性をさらに高めることができる。
【００６８】
本実施形態のデジタル振幅変調装置１は、上述した合成部１５を備えているため、トランス２００の巻線数を容易に変更することができ、作業性の向上を図ることができる。
【００６９】
次に、第１の実施形態のいくつかの変形例について説明する。なお、以下に説明する以外の構成は、上述した第１の実施形態の構成と同様である。また、以下に示す全ての変形例は、後述する第２の実施形態においても適用可能である。
【００７０】
（第１の変形例）
図６は、第１の変形例の合成部１５を示す。
図６に示すように、本変形例では、少なくとも１つの第１穴４１ａは、支持棒４３の外径に対応する丸穴である。また、少なくとも１つの第２穴４２ａは、支持棒４３の外径に対応する丸穴である。このため、丸穴である第１穴４１ａおよび第２穴４２ａに挿入された支持棒４３は、Ｒ方向の位置が固定されている。
このような構成によれば、少なくとも１つの支持棒４３のＲ方向の位置が安定して定まるため、合成部１５の組立性を向上させることができる場合もある。なお、第１押え板４１および第２押え板４２に対してＲ方向の位置が固定された支持棒４３の数は、１つに限らず、２つ以上でもよい。
【００７１】
（第２の変形例）
図７は、第２の変形例の合成部１５を示す。
図７に示すように、本変形例では、第１合成ユニット１５ａの第１押え板４１と、第２合成ユニット１５ｂの第１押え板４１とは、ひとつの第１押え板４１によって一体に形成されている。同様に、第１合成ユニット１５ａの第２押え板４２と、第２合成ユニット１５ｂの第２押え板４２とは、ひとつの第２押え板４２によって一体に形成されている。
このような構成によれば、部品点数が少なくなるため、合成部１５の低コスト化や組立性の向上を図ることができる。
【００７２】
（第３の変形例）
図８は、第３の変形例の合成部１５を示す。なお、ここでは説明の便宜上、片方の合成ユニット（第１合成ユニット１５ａ）のみを示す。
図８に示すように、本変形例では、複数のトロイダル型コア３１の間に、絶縁性のスペーサ８１が設けられる。すなわち、本変形例では、複数のトロイダル型コア３１とスペーサ８１とが交互に配置されている。また、複数のトロイダル型コア３１と複数のスペーサ８１は、−Ｚ方向に詰めて配置されている。スペーサ８１は、複数のトロイダル型コア３１の１次側巻線２１同士を電気的に隔離する。
【００７３】
スペーサ８１は、例えばトロイダル型コア３１と略同じ外径を有する筒状に形成される。すなわち、スペーサ８１の中央部には、−Ｚ方向に沿って２次側巻線２２が通る貫通穴８１ｈが設けられている。
【００７４】
複数の支持棒４３は、Ｒ方向の外周側から、複数のスペーサ８１の外周面８１ａに接して複数のスペーサ８１の外周面８１ａを支持する。これにより、複数の支持棒４３は、複数のスペーサ８１のＲ方向の位置を固定する。
【００７５】
このような構成によれば、複数のトロイダル型コア３１の１次側巻線２１同士の間の絶縁性をさらに確実に確保することができる。また、スペーサ８１は、例えば柔軟性（弾性）を有してもよい。スペーサ８１が柔軟性を有すると、各トロイダル型コア３１の１次側巻２１の巻き方などに偏りがある場合でも、巻き方に起因する歪みなどをスペーサ８１によって吸収することができる。これにより、複数のトロイダル型コア３１を軸方向に沿って並べやすくなる。
【００７６】
（第２の実施形態）
次に、図９および図１０を参照して、第２の実施形態の送信機用の合成部１５およびデジタル振幅変調装置１を説明する。本実施形態は、２次側巻線２２の配線経路に関する点で、上記第１の実施形態とは異なる。なお、本実施形態のその他の構成は、上記第１の実施形態と同様である。
【００７７】
図９は、本実施形態の合成部１５を示す平面図である。
本実施形態は、２次側巻線２２が、トランス２０１〜２０ｎの１次側巻線２１にそれぞれ対向するように並列接続されたものである。すなわち、複数の２次側巻線２２の各々は、接地された一端から延びて１つのトロイダル型コア３１の内部（貫通穴３１ｈ）のみを通るとともに、フィルタ部１６に電気的に接続されている。これにより、並列加算型の合成部１５が形成されている。
また、複数のトロイダル型コア３１の間にはスペーサ８１が設けられている。これにより、複数のトロイダル型コア３１の間に、２次側巻線２２が通る隙間が空けられている。
【００７８】
図１０は、図９中に示されたスペーサ８１のＦ１０−Ｆ１０線に沿う断面図である。
図１０に示すように、スペーサ８１は、例えばトロイダル型コア３１と略同じ外径を有する筒状に形成されている。スペーサ８１は、複数の支持棒４３の間に収容され、Ｒ方向の外側から複数の支持棒４３によって支持される。これにより、スペーサ８１のＲ方向の位置が固定される。
また、スペーサ８１は、２次側巻線２２がＲ方向に通る切欠き部８１ｂを有する。すなわち、２次側巻線２２は、切欠き部８１ｂを通ることで、スペーサ８１の内部からスペーサ８１の外部に延びている。
【００７９】
このような構成によれば、上記第１の実施形態と同様に、トランス２００の巻線数を容易に変更することができ、作業性の向上を図ることができる合成部１５およびデジタル振幅変調装置１を提供することができる。
【００８０】
以上、いくつかの実施形態と変形例について説明した。なお、実施形態および変形例は、上記説明したものに限定されない。例えば、上記いくつかの実施形態とその変形例では、トロイダル型コア３１の一例として、Ｍｎ−Ｚｎ系のフェライトコアを示した。ただし、トロイダル型コア３１は、Ｎｉ−Ｚｎ系のフェライトコアや、純鉄や電磁鋼鈑、アモルファス金属（Ｆｅ）やナノ材料などの軟磁性材料で形成されたトロイダル型コアでもよい。
上記いくつかの実施形態とその変形例では、中波放送用の装置を一例として取り上げ、単一の正弦波信号や矩形波信号を合成し、ＡＭ波を生成する合成部について説明した。なお上記実施形態は、上記例に限らず、振幅や周波数・位相を変化させて、ＦＭ波(周波数変調波：Frequency Modulation Wave)やＯＦＤＭ波(Orthogonal Frequency Division Multiplexing Wave)などを生成する合成部およびデジタル振幅変調装置にも適用可能である。
また、合成部１５は、例えば、鉛直方向に沿う縦置きタイプとして使用されるものでもよく、水平方向に沿う横置きタイプとして使用されるものでもよい。
【００８１】
以上説明した少なくともひとつの実施形態によれば、送信機用の合成部は、複数のトロイダル型コアと、第１押え板と、第２押え板と、複数の支持棒とを持つ。前記第１押え板は、トロイダル型コアの軸方向で前記複数のトロイダル型コアの一方の側に位置する。前記第２押え板は、前記複数のトロイダル型コアに対して前記第１押え板とは反対側に位置し、前記第１押え板に向けて前記複数のトロイダル型コアを押さえる。前記複数の支持棒は、前記複数のトロイダル型コアの周方向に分かれて配置され、前記複数のトロイダル型コアの径方向の外側から前記複数のトロイダル型コアを支持する。前記複数の支持棒の少なくとも１つは、前記第１押え板に対して前記径方向に沿って移動可能である。このような構成によれば、トランスの巻線数を容易に変更することができる。
【００８２】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００８３】
１…デジタル振幅変調装置、１５…合成部、２０…トランス、２１…１次側巻線、２２…２次側巻線、３１…トロイダル型コア、４１…第１押え板（第１支持部材）、４１ａ…第１穴、４２…第２押え板（第２支持部材）、４２ａ…第２穴、４３…支持棒（第３支持部材）、４５…ねじ、５１…第１固定部材、５２…第２固定部材、Ｃ…中心軸。
【図１】
0006584860.tif 000002
【図２】
0006584860.tif 000003
【図３】
0006584860.tif 000004
【図４】
0006584860.tif 000005
【図５】
0006584860.tif 000006
【図６】
0006584860.tif 000007
【図７】
0006584860.tif 000008
【図８】
0006584860.tif 000009
【図９】
0006584860.tif 000010
【図１０】
0006584860.tif 000011